(57)【要約】【課題】操作ツマミのスライド操作のみによって、蓋が確実に開くようにようにすること。【解決手段】その一端部を装置本体に回動可能に保持され、記録媒体の着脱を許容する開放位置と記録媒体を覆う閉塞位置とを取り得る蓋を持ち、この蓋の自由端側には、蓋の開閉方向と直交する方向にスライド操作可能な操作ツマミと、この操作ツマミと連動してスライド動作が可能なロック片と、このロック片をロック方向に付勢するバネ部材とが設けられ、装置本体には、ロック片の鉤状係止部が係止されるロック用突部が設けられた構成において、ロック片がロック状態から、このロック状態を解除する方向にスライド操作された際に、鉤状係止部がロック用突部から離脱した段階以降の前記ロック片のロック解除方向のスライド動作により、蓋を開放方向に移動させるようにする。【選択図】      図２
2004246964.tif 000002
【特許請求の範囲】
【請求項１】
その一端部を装置本体に回動可能に保持され、記録媒体の着脱を許容する開放位置と記録媒体を覆う閉塞位置とを取り得る蓋を持ち、この蓋の自由端側には、蓋の開閉方向と直交する方向にスライド操作可能な操作ツマミと、この操作ツマミと連動してスライド動作が可能なロック片と、このロック片をロック方向に付勢するバネ部材とが設けられ、装置本体には、前記ロック片の鉤状係止部が係止されるロック用突部が設けられた構成において、
前記ロック片がロック状態から、このロック状態を解除する方向にスライド操作された際に、前記鉤状係止部が前記ロック用突部から離脱した段階以降の前記ロック片の前記ロック解除方向のスライド動作により、前記蓋を開放方向に移動させるようにしたことを特徴とする記録媒体着脱用蓋の開閉機構。
【請求項２】
請求項１記載において、
前記鉤状係止部が前記ロック用突部から離脱した段階以降の前記ロック片の前記ロック解除方向のスライド動作によって、前記ロック片に設けられたテーパー部を、前記装置本体側に設けられたテーパー部に対して摺動させることにより、前記蓋を開放方向に移動させるようにしたことを特徴とする記録媒体着脱用蓋の開閉機構。
【発明の詳細な説明】
【０００１】
【発明の属する技術分野】
本発明は、光ディスクカセット、光磁気ディスクカセット、着脱式のハードディスク、磁気テープカセットなどの着脱式の記録媒体を用いる記録再生装置や再生専用装置などにおける、記録媒体着脱用蓋の開閉機構に関するものである。
【０００２】
【従来の技術】
図３〜図６は従来の例えばポータブル型の記録再生装置に係り、図３の（ａ）は蓋（記録媒体着脱用蓋）が閉塞状態にある際の平面図、図３の（ｂ）は蓋が閉塞状態にある際の一部切断した側面図、図４の（ａ）は蓋が開放状態にある際の平面図、図４の（ｂ）は蓋が開放状態にある際の一部切断した側面図、図５は蓋が閉塞状態にある際の図３の（ｂ）のＸ−Ｘ’線に沿った断平面図、図６はロック片の変移を示す説明図である。
【０００３】
図３、図４において、１は装置本体、２は蓋（記録媒体着脱用蓋）、３は装置本体１に着脱自在な記録媒体（媒体カセット）であり、蓋２は、その下端部（下端辺部）を軸支部４によって装置本体１に回動可能に保持されている。そして、蓋２が図３に示す閉塞状態をとった際には、記録媒体３は蓋２によって覆い隠されて保護された状態となり、蓋２が図４に示す開放状態をとった際には、記録媒体３の着脱が許容されるようになっている。
【０００４】
５は、その一端をビス６によって蓋２に固定され、その他端を装置本体１の下部側に当接させた板バネで、蓋２に対して開放方向の偏倚習性を付与している。
【０００５】
７は蓋２の自由端側に設けられた操作ツマミで、この操作ツマミ７は、蓋２の開閉方向と直交する方向にスライド操作可能となっていて、操作ツマミ７には、操作ツマミ７と連動してスライド動作可能なロック片８が嵌合している。また、装置本体１側には、ロック片８の鉤状係止部が係止されるロック用突部９が設けられている。
【０００６】
図５はロック片８の詳細を示しており、同図に示すように、ロック片８には溝穴１０が穿設されており、この溝穴１０に、蓋２に突設したピン１１が嵌っており、ロック片８は、溝穴１０とピン１１の係合関係が許容する範囲内でスライド可能となっている。１２はロック片８に形成した鉤状係止部で、この鉤状係止部１２の頸部が、装置本体１側のロック用突部９に係合することにより、ロック片８（すなわち蓋２）はロック状態におかれるようになっている。また、１３は、その一端を蓋２の係止突起１４に係止され、その他端をロック片８の係止突起１５に係止されたロックバネ（引っ張りコイルバネ）で、ロック片８に対してロック方向の偏倚習性を付与するようになっており、図５に示したロック状態では、鉤状係止部１２の頸部とロック用突部９との係合状態を確実に維持するように作用する。
【０００７】
図６は、ロック片８がロック状態からロック解除状態に移行し、蓋２を開放する際の様子を示す図であり、図５におけるＢ部に相当する部位を描いてある。
【０００８】
図６の（ａ）は、ロック片８の鉤状係止部１２の頸部がロック用突部９に嵌ったロック状態を示しており、この状態から操作ツマミ７をスライド操作して、図６の（ｂ）に示すように、ロック片８を矢印Ｇ方向にスライドさせると、図６の（ｃ）に示すように、ロック片８の鉤状係止部１２とロック用突部９との係合が解除される。蓋２には、前記板バネ５によって開放方向の付勢力が付加されているため、蓋２は、図６の（ｄ）に示すように矢印Ｈ方向に回動して、蓋２は開放状態に移行する。
【０００９】
【発明が解決しようとする課題】
上述したように、図３〜図６に示した従来技術においては、蓋２を開放するために、蓋２に対して開放方向の偏倚習性を付与する板バネ５と、板バネ５を止めるためのビス６を必要とし、その分だけ部品点数が嵩むという問題があった。また、確実に蓋２を開くためには、板バネ５のバネ力を大きくする必要があるが、バネ力を大きくすると、蓋２に変形が生じる虞や、蓋２が閉じた状態での蓋２と装置本体１との隙間の不均一が発生してしまうという問題があった。
【００１０】
そのため、蓋２のオープンバネである板バネ５のバネ力を大きくすることができず、結果的に、操作ツマミ７を操作しても、使用者に蓋２の開きを感じさせることができないという指摘があった。つまり、従来技術においては、図６の（ｃ）の状態において、使用者が意図的に、操作ツマミ７やあるいは蓋２に対して矢印Ｈ方向の力を加えないと、蓋２がスムーズに開いていかない懸念があるものとなっていた。さらに、図６の（ｃ）の状態から使用者が操作ツマミ７から手を離すと、蓋２のオープンバネである板バネ５のバネ力よりも、ロック片８のロックバネ１３の力が勝って、ロック片８が図６の（ａ）のロック状態に戻ってしまうという問題もあつた。
【００１１】
本発明は上記の点に鑑みなされたもので、その目的とするところは、操作ツマミのスライド操作のみによって、蓋が確実に開くようにようにすることにある。また、本発明の目的とするところは、蓋のオープンバネである板バネを排した構成としても、蓋が確実に開くようにようにすることにある。
【００１２】
【課題を解決するための手段】
本発明は上記した目的を達成するため、その一端部を装置本体に回動可能に保持され、記録媒体の着脱を許容する開放位置と記録媒体を覆う閉塞位置とを取り得る蓋を持ち、この蓋の自由端側には、蓋の開閉方向と直交する方向にスライド操作可能な操作ツマミと、この操作ツマミと連動してスライド動作が可能なロック片と、このロック片をロック方向に付勢するバネ部材とが設けられ、装置本体には、前記ロック片の鉤状係止部が係止されるロック用突部が設けられた構成において、
前記ロック片がロック状態から、このロック状態を解除する方向にスライド操作された際に、前記鉤状係止部が前記ロック用突部から離脱した段階以降の前記ロック片の前記ロック解除方向のスライド動作により、前記蓋を開放方向に移動させるようにする。
【００１３】
【発明の実施の形態】
以下、本発明の実施の形態を、図面を用いて説明する。
【００１４】
図１、図２は本発明の一実施形態であるポータブル型の記録再生装置に係り、図１は蓋が閉塞状態にある際の断平面図、図２はロック片の変移を示す説明図である。
【００１５】
本実施形態の記録再生装置の装置本体と蓋の概略構成は、図３、図４に示した従来構成と略同様であり、図３、図４の従来構成と相違するのは、本実施形態においては、前記した蓋のオープンバネである板バネを排した点にある。本実施形態では、図３、図４に相当する図の図示を割愛してあるが、本実施形態の構成では、図３、図４の構成から、板バネと、板バネを止めるためのビスと、ビス止め部と、板バネの自由端側の受け部とが、削除された構成となっている。なお、図１は、前記図５に相当する断面図となっている。
【００１６】
図１において、１は装置本体、２は蓋（記録媒体着脱用蓋）であり、蓋２は、その下端部（下端辺部）を従来と同様の軸支部によって装置本体１に回動可能に保持されている。そして、蓋２が閉塞状態をとった際には、図示していないが記録媒体が蓋２によって覆い隠されて保護された状態となり、蓋２が開放状態をとった際には、記録媒体の着脱が許容されるようになっている。
【００１７】
８は、蓋２の自由端側の裏面に配設されたロック片で、本実施形態においては図示していないが、蓋２の自由端側の表面にその主体部が配設された従来構成と同様の操作ツマミが、ロック片８に嵌合されている。そして、ロック片８は、操作ツマミの蓋２の開閉方向と直交する方向のスライド操作によって、操作ツマミと一体となってスライド操作されるようになっている。
【００１８】
１０はロック片８に穿設された溝穴で、この溝穴１０に、蓋２に突設したピン１１が嵌っており、ロック片８は、溝穴１０とピン１１の係合関係が許容する範囲内でスライド可能となっている。
【００１９】
１２はロック片８に形成した鉤状係止部で、この鉤状係止部１２の頸部が、装置本体１側のロック用突部９に係合することにより、ロック片８（すなわち蓋２）はロック状態におかれるようになっている。また、１２ａは鉤状係止部１２に形成したテーパー部で、このテーパー部１２ａは、装置本体１側に形成されたテーパー部２１と当接可能に構成されている。
【００２０】
２２はロック片８に形成した弾性変形（たわみ変形）可能なアーム部で、このアーム部２２の先端の突部が、装置本体１側に形成されたテーパー部２３および平坦部２４と当接可能に構成されている。
【００２１】
１３は、その一端を蓋２の係止突起１４に係止され、その他端をロック片８の係止突起１５に係止されたロックバネ（引っ張りコイルバネ）で、ロック片８に対してロック方向の偏倚習性を付与するようになっており、図１に示したロック状態では、鉤状係止部１２の頸部とロック用突部９との係合状態を確実に維持するように作用する。
【００２２】
図２は、ロック片８がロック状態からロック解除状態に移行し、蓋２を開放する際の様子を示す図であり、図１におけるＡ部に相当する部位を描いてある。
【００２３】
図２の（ａ）は、ロック片８の鉤状係止部１２の頸部がロック用突部９に嵌ったロック状態を示しており、この状態から操作ツマミをスライド操作して、図２の（ｂ）に示すように、ロック片８を矢印Ｇ方向に所定量スライドさせると、鉤状係止部１２のテーパー部１２ａが装置本体１側のテーパー部２１に当接する。この状態から、さらにロック片８を矢印Ｇ方向にスライドさせると、図２の（ｃ）に示すように、ロック片８の鉤状係止部１２とロック用突部９との係合が解除された以後において、鉤状係止部１２のテーパー部１２ａが装置本体１側のテーパー部２１を摺動することにより、ロック片８が矢印Ｈ方向に移動し、これにより、蓋２が開放方向に移動（回動）する。この図２の（ｃ）の状態から、さらにロック片８を矢印Ｇ方向にスライドさせると、図２の（ｄ）に示すように、テーパー部１２ａ、テーパー部２１同士の相対摺動により、ロック片８（すなわち蓋２）がさらに矢印Ｈ方向に移動し、この後、蓋２は、蓋２の自重によって開放状態に移行する。
【００２４】
なお、ロック片８のアーム部２２は、その先端の突部が装置本体１側のテーパー部２３上を摺動することによって、ロック片８の解除方向（矢印Ｇ方向）へのスライド動作の初期にたわみ、ロック片８（すなわち蓋２）に対して矢印Ｈ方向への力を付与し、ロック片８（蓋２）の矢印Ｈ方向への変移動作を補助するようになっている。そして、図２の（ｃ）の状態では、アーム部２２はたわみが解除された状態となるようになっている。このようなアーム部２２を設けると、ロック片８（蓋２）の矢印Ｈ方向へ変移を補助できるが、アーム部２２がなくても、本発明は実現可能である。
【００２５】
上述したような構成と動作をとる本実施形態においては、ロック片８の解除方向（矢印Ｇ方向）へのスライド動作によって、蓋２が開放方向に変移するので、従来のように蓋のオープンバネである板バネがなくても、蓋２を確実に開放させることが可能となり、また、ロック片８の解除方向へのスライド動作により、使用者に蓋２の開きを感じさせることができるので、使用者に安心感を与えることができる。さらに、図２の（ｃ）の状態から、使用者が操作ツマミから手を離しても、ロック片８が図２の（ａ）のロック状態に戻ってしまうことがなく、確実に蓋を開くことが可能になる。
【００２６】
【発明の効果】
以上のように本発明によれば、従来のように蓋オープン用のバネがなくても、操作ツマミのスライド操作のみによって、蓋を確実にオープンすることができ、また、ロック片８の解除方向へのスライド動作に伴って、使用者に蓋の開きを感じさせることができるので、操作感を向上させることができる。また、蓋オープン用のバネを排することができるので、オープンバネやその締結部品、締結構造が不要となって、部品点数削減と組立工数削減と部品コスト削減とを図ることが可能となる。
【図面の簡単な説明】
【図１】本発明の一実施形態に係る記録再生装置の蓋が閉塞状態にある際の断平面図である。
【図２】本発明の一実施形態における、ロック片の変移を示す説明図である。
【図３】従来の記録再生装置において、蓋が閉塞状態にある際の平面図および側面図である。
【図４】従来の記録再生装置において、蓋が開放状態にある際の平面図および側面図である。
【図５】従来の記録再生装置の蓋が閉塞状態にある際の断平面図である。
【図６】従来の記録再生装置における、ロック片の変移を示す説明図である。
【符号の説明】
１  装置本体
２  蓋（記録媒体着脱用蓋）
３  記録媒体（媒体カセット）
４  軸支部
５  板バネ（蓋のオープンバネ）
６  ビス
７  操作ツマミ
８  ロック片
９  ロック用突部
１０  溝穴
１１  ピン
１２  鉤状係止部
１２ａ  テーパー部
１３  ロックバネ（引っ張りコイルバネ）
１４  係止突起
１５  係止突起
２１  テーパー部
２２  アーム部
２３  テーパー部
２４  平坦部
【図１】
2004246964.tif 000003
【図２】
2004246964.tif 000004
【図３】
2004246964.tif 000005
【図４】
2004246964.tif 000006
【図５】
2004246964.tif 000007
【図６】
2004246964.tif 000008